【手続補正書】
【提出日】平成16年11月2日(2004.11.2)
【手続補正１】
【補正対象書類名】明細書
【補正対象項目名】全文
【補正方法】変更
【補正の内容】
【書類名】  明細書
【発明の名称】  電気湯沸かし器
【特許請求の範囲】
【請求項１】  底が多孔体の下ケースと、前記下ケースとの接合面に多孔体を設置した上ケースに覆われた浄化剤を内蔵させた箱体を有するフィルターケースを内蔵する電気湯沸かし器。
【請求項２】  液体収容容器から伸出した導出パイプを切換弁装置を介して前記容器の上方側面に設けた環流パイプへ接続すると共に、底が多孔体の下ケースと前記下ケースとの接合面が多孔体を設置した上ケースに覆われた浄化剤を内蔵させた箱体を、前記環流パイプの容器への接続部分の容器内側部分に、前記上ケースまたは下ケースに設けた取付部により装着した電気湯沸かし器。
【請求項３】  浄化剤上位置に配置した多孔体の外周を覆う壁体を設け、かつ前記壁体の一部に、上ケースと多孔体との接合面上と同等又は同等以下の深さの切り欠き部を有する上ケースを具備した箱体を設けたことを特徴とした請求項１記載の電気湯沸かし器。
【請求項４】  接合面に近づくに従って、切り欠き幅が減少する上ケースを具備することを特徴とした請求項３記載の電気湯沸かし器。
【請求項５】  浄化剤を内蔵させた箱体を環流パイプに装着して形成される流路と、上ケースに設置した多孔体間に整流板を設けることを特徴とした請求項１記載の電気湯沸かし器。
【発明の詳細な説明】
【０００１】
【発明の属する技術分野】
本発明は、一般家庭において、使用される電気湯沸かし器に関するものである。
【０００２】
【従来の技術】
従来のこの種の電気湯沸かし器は、図５に示されているように（特開平４−３３８４２４号公報参照）、液体収納容器５１から取出した導出パイプ５２を容器５１の上方側面の元に設けた環流パイプ５３へ切換弁装置５４を介して接続すると共に、浄化剤５５を内蔵した多孔体のケース５６を、底が開放したほぼ矩形の箱５７内へ係止し、この箱５７を前記環流パイプ５３の容器５１内側に嵌着した構成により、容器５１内水の浄化をおこない、美味しい湯を得る構成をとっていた。
【０００３】
【発明が解決しようとする課題】
しかしながら、上記従来の電気湯沸かし器では、浄化剤５５を多孔体で覆うための２部品から構成されたケ−ス５６を容器５１内に嵌着するために、底が開放したほぼ矩形の箱５７内が必要であった。つまり、浄化剤５５を容器５１内に設置するためには、３部品が必要であるため、コスト高になるといった課題があった。
【０００４】
また、電気湯沸かし器の湯沸かし時、保温時共に、浄化剤５５を内蔵したケース５６を係止している箱５７の爪部５７ａは、高温に晒されるため、熱時に変形が生じもケース５６が脱落しないようにするため、十分な掛かり代が必要であるために、組立時固いといった課題があった。
【０００５】
さらに、水垢やゴミなどで、詰まると、循環浄水時の水流が阻止され切換弁装置５４などから水漏れを起こすなどの問題があった。
【０００６】
本発明は上記課題を解決するもので、安価で、組立性を向上させ、更に長時間高温に晒されても脱落する事のない浄化剤内蔵ケースを設置した電気湯沸かし器を提供することを目的とする。また、水垢やゴミなどでケースが詰まっても切換弁装置から水漏れを起こさないような電気湯沸かし器を提供することを目的とする。また、本発明の浄化剤内蔵ケースにおいて、浄化剤のいずれの部分にも均等に水を供給させ、効率的な浄水が行うことができる電気湯沸かし器を提供することを目的とする。
【０００７】
【課題を解決するための手段】
上記目的を達成するために本発明は、底が多孔体の下ケースと、前記下ケースとの接合面に多孔体を設置した上ケースに覆われた浄化剤を内蔵させた箱体を有するフィルターケースを内蔵する電気湯沸かし器とする。
【０００８】
この構成により、２部品で浄化剤内蔵ケースを構成することができ、安価でかつ組立性を向上を具現化することができる。
【０００９】
【発明の実施の形態】
請求項１記載の発明は、底が多孔体の下ケースと、前記下ケースとの接合面に多孔体を設置した上ケースに覆われた浄化剤を内蔵させた箱体を有するフィルターケースを内蔵する電気湯沸かし器とするものであり、安価でかつ組立性の向上を具現化することができるものである。
【００１０】
請求項２記載の発明は、液体収容容器から伸出した導出パイプを切換弁装置を介して前記容器の上方側面に設けた環流パイプへ接続すると共に、底が多孔体の下ケースと前記下ケースとの接合面が多孔体を設置した上ケースに覆われた浄化剤を内蔵させた箱体を、前記環流パイプの容器への接続部分の容器内側部分に、前記上ケースまたは下ケースに設けた取付部により装着した電気湯沸かし器とするものであり、使用中に容器内に浄化剤を内蔵した箱体が脱落することを防止することができるものである。
【００１１】
請求項３記載の発明は、浄化剤上位置に配置した、多孔体の外周を覆う壁体を設け、かつ前記壁体の一部に多孔体と上ケースとの接合面上と同等又は同等以下の深さの切り欠き部を有する上ケースを具備した箱体を設けるものであり、箱体の上下に配置した多孔体の孔が水垢や、ゴミで目づまりしても、切換弁装置などに水圧が掛かることが防止でき、水漏れが発生することを防止することができる。
【００１２】
請求項４記載の発明は、多孔体と上ケースとの接合面上と同等又は同等以下の深さの切り欠き部を有するものにおいて、接合面に近づくに従い切り欠き幅を減少させるものであり、浄化剤を内蔵した箱体に供給される水量に応じて浄化剤を通過させる水量を調整し、効率的な浄水を行うことができるものである。
【００１３】
請求項５記載の発明は、浄化剤を内蔵させた箱体を環流パイプに装着して形成される流路と、上ケースに設置した多孔体間に整流板を設けるものであり、環流パイプからでた水流は、この整流板に当って広がり箱体内の浄化剤の隅々に降りかかり効率のよい浄化ができるとともに浄化剤の劣化も均一となって、全体としての寿命を延ばすことができるものである。
【００１４】
【実施例】
以下、本発明の一実施例について図１および図２を参照しながら説明する。図に示すように、底にヒーターを設けた液体収容容器１の底より導出した導出パイプ２は、切換弁装置３を介して、一方は容器１の上方の側面につながる環流パイプ２’へ接続するとともに、他方はパイプ５を通じて外部へ放出する吐出パイプへとつながっている。
【００１５】
そして、取付治具４が容器１内側に位置し、矩形のフランジ６と取付治具４の外面の間に突起７を有し、この突起７が容器側面の穴と嵌合することで、回り止めが行われる。一方、取付治具４の外面の他部位に設けたカム突起８を容器１を介してカム板９を引くことで、取付治具４は容器１に固着される。また、取付治具４により容器１と還流パイプ２’とは結合されている。
【００１６】
また、粒状の活性炭などから成る浄化剤１０の下方を、底が多孔体１１ａの下ケース１１ｂと、上方に下ケース１１ｂとの接合面に多孔体１２ａを設置した上ケース１２ｂから覆われ、下ケース１１ｂと上ケース１２ｂはネジまたは熱溶着といった方法により接合され、浄化剤１０を内蔵した箱体１３を形成している。
【００１７】
さらに、箱体１３は下ケース１１ｂに設けられた溝１４がフランジ６に嵌合することで、環流パイプ４へ上から嵌合され、また、下ケース１１ｂの爪１５と環流パイプ４に設けた接合フランジ１６で係止される。そして上ケース１２ｂには、多孔体１２ａの外周を覆う壁体１７を設け、かつ壁体１７の一部に、多孔体１２ａと上ケース１２ｂとの接合面上の切り欠き部１８を複数設けている。
【００１８】
また、切り欠き部１８は図３に示すように三角形状となっており、多孔体１２ａの設置付近ほど切り欠き幅が小さくなるように設定されている。
【００１９】
図４は、還流パイプ２’および取付治具４に箱体１３を装着したときに形成された流路１９を示しており、環流パイプ４からの水流の噴出方向を意図的に変えることのできる整流板２０を、箱体１３の多孔体１２ａに至るまでに流路を拡大する方向（ハの字型）に設置されている。
【００２０】
切換弁装置３は、電気的に制御され、必要な時間だけ導出パイプ２から押し出された湯が、環流パイプ２’側へ流される。これ以外のときは、外部からの操作に応じてパイプ５側へ流れ、湯を取出すことができるものである。
【００２１】
そして、環流パイプ４へ導かれた湯は、整流板２０により流路を左右に拡大し、箱体１３の多孔体１２ａを介して浄化剤１０へ均一に散らされる。
【００２２】
また、多孔体１２ａの外周を覆う壁体１７は、湯沸かし中水の粘性の低下により、浄化剤１０追加可能流量よりも供給流量が過剰になった場合にも、切換弁装置３などに水圧が掛からない程度に、壁体１７と湯の表面張力により、浄化剤１０上に湯を貯水して供給することができる。
【００２３】
このように、浄化剤１０に均等に湯を供給することで、効率的に浄化を行い、かつ、浄化剤１０の部分劣化を防止し、延いては全体として長く循環浄化が行えることになるものである。
【００２４】
ここで、長時間循環浄化を行っていると、多孔体１１ａ、多孔体１２ａは水垢やゴミで詰まってくるが、このとき壁体１７に設けた切り欠き部１８より容器１内に湯を循環させることにより、切換弁装置３などの内部装置に過大な圧力が掛からず、故障などの不具合を防止することができる。
【００２５】
図３のように切り欠き部１８を三角形状で多孔体１２ａの設置付近ほど、切り欠き幅が小さくなるように設定することで、多孔体１１ａ、多孔体１２ａは水垢やゴミで詰まってきた時に、循環量を調節することができる。
【００２６】
【発明の効果】
以上の実施例の説明より明らかなように、請求項１の発明は、底が多孔体の下ケースと、前記下ケースとの接合面に多孔体を設置した上ケースに覆われた浄化剤を内蔵させた箱体を有するフィルターケースを内蔵するようにしているので、浄化剤内蔵ケースを２部品で構成することにより、安価でかつ組立性の向上を具現化することができる。
【００２７】
また、請求項２記載の発明は、液体収容容器から伸出した導出パイプを切換弁装置を介して前記容器の上方側面に設けた環流パイプへ接続すると共に、底が多孔体の下ケースと前記下ケースとの接合面が多孔体を設置した上ケースに覆われた浄化剤を内蔵させた箱体を、前記環流パイプの容器への接続部分の容器内側部分に、前記上ケースまたは下ケースに設けた取付部により装着しているので、使用中に容器内に浄化剤を内蔵した箱体が脱落することを防止することができる。
【００２８】
また、請求項３記載の発明は、浄化剤上位置に配置した、多孔体の外周を覆う壁体を設け、かつ前記壁体の一部に、多孔体と上ケースとの接合面上と同等又は同等以下の深さの切り欠き部を有する上ケースを具備した箱体を設けているので、箱体の上下に配置した多孔体の孔が水垢や、ゴミで目づまりしても、切換弁装置などに水圧が掛かることが防止でき、水漏れが発生することを防止することができる。
【００２９】
また、請求項４記載の発明は、多孔体と上ケースとの接合面上と同等又は同等以下の深さの切り欠き部を有するものにおいて、接合面に近づくに従い切り欠き幅が減少させているので、浄化剤を内蔵した箱体に供給される水量に応じて浄化剤を通過させる水量を調整することができ、効率的な浄水を行うことができる。
【００３０】
さらに、請求項５記載の発明は、浄化剤を内蔵させた箱体を環流パイプに装着して形成される流路と、上ケースに設置した多孔体間に整流板を設けているので、環流パイプから出た水流は、この整流板に当って広がり箱体内の浄化剤の隅々に降りかかり効率のよい浄化ができるとともに浄化剤の劣化も均一となって、全体としての寿命を延ばすことができる電気湯沸かし器を提供できる。
【図面の簡単な説明】
【図１】
本発明の一実施例の電気湯沸かし器の浄化フィルター装置を示す要部断面図
【図２】
同、電気湯沸かし器の浄化フィルター装置部分の分解斜視図
【図３】
同、電気湯沸かし器の浄化フィルターに設けられた切り欠き溝を示す図
【図４】
同、電気湯沸かし器の浄化フィルターに供給される水の流路を示す図
【図５】
従来例の電気湯沸かし器の浄化フィルター装置を示す主部断面図
【符号の説明】
１  容器
２  導出パイプ
２’  還流パイプ
３  切換弁装置
４  取付治具
１０  浄化剤
１１ａ  多孔体
１１ｂ  下ケース
１２ａ  多孔体
１２ｂ  上ケース
１３  箱体
１４  溝
１５  爪
１７  壁体
１８  切り欠き部
１９  流路
２０  整流体